(57)【要約】【課題】  ギターの弦のチューニング状態及びチューニング完了状態を演奏者が簡単に視認できるギターチューナー用の表示装置を提供する。【解決手段】  ギターチューナー用の表示装置は、ギターのボディ部に設置されるイコライザー内に設けられ、ギター弦のチューニング状態を表示する液晶表示装置と、前記液晶表示装置の背後に設けられるバックライトと、前記液晶表示装置と前記バックライトを制御する制御手段とを有する。電源が投入されるとバックライトが所定色の発光をするように制御し、弦のチューニングが終了すると前記所定色とは異なる色で発光するように前記バックライトを制御する。【選択図】  図１
2009058958.tif 000002
【特許請求の範囲】
【請求項１】
ギターのボディ部に設置されるイコライザー内に設けられ、ギター弦のチューニング状態を表示する液晶表示装置と、
前記液晶表示装置の背後に設けられるバックライトと
を有するギターチューナー用表示装置。
【請求項２】
前記バックライトは、前記ギター弦のチューニングが完了すると発光色を変化させる請求項１記載のギターチューナー用表示装置。
【請求項３】
前記バックライトは、ギターチューナーの電源が投入されるとオレンジ色の光を発光し、前記ギター弦のチューニングが完了すると緑色の光を発光する請求項２記載のギターチューナー用表示装置。
【請求項４】
ギターのボディ部に設置されるイコライザー内に設けられ、ギター弦のチューニング状態を表示する液晶表示装置と、前記液晶表示装置の背後に設けられるバックライトと、前記液晶表示装置と前記バックライトを制御する制御手段とを有する表示装置を用いたギター弦のチューニング状態を表示する方法であって、
前記制御手段は、前記バックライトを制御することにより、チューナーの電源が投入されると所定色の光を発光するように前記バックライトを制御し、前記ギター弦のチューニングが完了すると前記所定色とは異なる色の光を発光するように前記バックライトを制御するチューニング状態表示方法。
【請求項５】
前記バックライトは、ギターチューナーの電源が投入されるとオレンジ色の光を発光し、前記ギター弦のチューニングが完了すると緑色の光を発光する請求項４記載のチューニング状態表示方法。
【請求項６】
ギターのボディ部に設置されるイコライザー内に設けられ、ギター弦のチューニング状態を表示する液晶表示装置と、前記液晶表示装置を制御する制御手段とを有する表示装置を用いたギター弦のチューニング状態を表示する方法であって、
前記制御手段は、ギター弦に対応する７つの英文字の１つによる音高表示を前記液晶表示装置に表示するチューニング状態表示方法。
【請求項７】
前記音高表示は、Ａ、Ｂ、Ｃ、Ｄ、Ｅ、Ｆ、Ｇの英文字である請求項６記載のチューニング状態表示方法。
【発明の詳細な説明】
【技術分野】
【０００１】
本発明は、ギターをチューニングするためのチューナーに関し、より詳しくは、ギターチューナー用の表示装置及びギターチューナー用の表示装置を用いたチューニング状態表示方法に関する。
【背景技術】
【０００２】
ギターは、複数の弦を弾くことにより楽音を発生させる楽器である。一般的に、それぞれが異なる楽音を発生する６本の弦が平行に張られ、弦を張った後にペグを回すことにより、それぞれの弦は正しい音高にチューニングされる。
【０００３】
従来、ギターのチューニングは、演奏者がその聴覚により、弦が正しい音高で発音しているか否かを判断して行っている。しかし、聴覚を用いて弦を正確にチューニングすることは、ユーザが専門家でない限り困難である。
【０００４】
この問題を解決するために、正確なチューニングの判定を自動的に行い、正しい音高による弦のチューニングを実現するチューナーが、開発され使われている。
【０００５】
従来のチューナーは、液晶表示パネルを用いて各弦の音高を表示することにより、正確なチューニングの判定を可能としている。しかし、従来のチューナーにおける液晶表示パネルは、それ自体が発光するものではないので、簡単に且つ迅速にチューニング状態を視認することは困難である。特に、ギターが演奏される場所や、控え室、バックステージ等の場所は暗いことが多く、チューニングを行う際に、演奏者がチューナーの液晶表示パネルに表示される音高表示やチューニング完了表示を視認することは難しい。
【０００６】
【特許文献１】特開平５−０６６７６５号公報
【発明の開示】
【発明が解決しようとする課題】
【０００７】
本発明の目的は、ギターの弦のチューニング状態及びチューニング完了状態を演奏者が簡単に視認できるギターチューナー用の表示装置を提供することである。
【０００８】
また、本発明の他の目的は、暗所においても簡便にギターの弦のチューニングを可能とするギターチューナー用の表示装置を提供することである。
【０００９】
また、本発明のさらに他の目的は、ギターの弦のチューニング状態及びチューニング完了状態を演奏者が簡単に視認できる表示装置を用いたギター弦のチューニング状態を表示する方法を提供することである。
【課題を解決するための手段】
【００１０】
本発明の一観点によれば、ギターチューナー用表示装置は、ギターのボディ部に設置されるイコライザー内に設けられ、ギター弦のチューニング状態を表示する液晶表示装置と、前記液晶表示装置の背後に設けられるバックライトとを有する。
【００１１】
なお、前記バックライトは、前記ギター弦のチューニングが完了すると発光色を変化させるようにしてもよい。
【００１２】
また、前記バックライトは、ギターチューナーの電源が投入されるとオレンジ色の光を発光し、前記ギター弦のチューニングが完了すると緑色の光を発光するようにしてもよい。
【００１３】
本発明の他の観点によれば、ギターのボディ部に設置されるイコライザー内に設けられ、ギター弦のチューニング状態を表示する液晶表示装置と、前記液晶表示装置の背後に設けられるバックライトと、前記液晶表示装置と前記バックライトを制御する制御手段とを有する表示装置を用いたギター弦のチューニング状態を表示する方法は、前記制御手段は、前記バックライトを制御することにより、チューナーの電源が投入されると所定色の光を発光するように前記バックライトを制御し、前記ギター弦のチューニングが完了すると前記所定色とは異なる色の光を発光するように前記バックライトを制御する。
【００１４】
なお、前記バックライトは、ギターチューナーの電源が投入されるとオレンジ色の光を発光し、前記ギター弦のチューニングが完了すると緑色の光を発光するようにしてもよい。
【００１５】
本発明のさらに他の観点によれば、ギターのボディ部に設置されるイコライザー内に設けられ、ギター弦のチューニング状態を表示する液晶表示装置と、前記液晶表示装置を制御する制御手段とを有する表示装置を用いたギター弦のチューニング状態を表示する方法は、前記制御手段は、ギター弦に対応する７つの英文字の１つによる音高表示を前記液晶表示装置に表示する。
【００１６】
なお、前記音高表示は、Ａ、Ｂ、Ｃ、Ｄ、Ｅ、Ｆ、Ｇの英文字とすることができる。
【発明の効果】
【００１７】
本発明によれば、ギターの弦のチューニング状態及びチューニング完了状態を演奏者が簡単に視認できるギターチューナー用の表示装置を提供することである。
【００１８】
また、本発明によれば、暗所においても簡便にギターの弦のチューニングを可能とするギターチューナー用の表示装置を提供することができる。
【００１９】
また、本発明によれば、ギターの弦のチューニング状態及びチューニング完了状態を演奏者が簡単に視認できる表示装置を用いたギター弦のチューニング状態を表示する方法を提供することができる。
【発明を実施するための最良の形態】
【００２０】
以下、図を参照して本発明の実施例について説明する。
【００２１】
図１は、本発明の実施例によるギターチューナー用の表示装置を備えたイコライザーを有するギターの斜視図である。
【００２２】
図２は、本発明の実施例によるギターチューナー用の表示装置を備えたイコライザーの平面図である。
【００２３】
図３は、本発明の実施例によるギターチューナー用の表示装置を備えたイコライザーの断面図である。
【００２４】
図１に示すように、本実施例の表示装置１０は、ギターのボディ部（胴部）に設置されるイコライザー１に含まれる。イコライザー１は、ギターのボディ部の所定位置に設置され、ギター弦２（以下、単に「弦」と呼ぶ）が弾かれた時に生成されるギター音を増幅し外部のスピーカーから発音させる。
【００２５】
イコライザー１は、例えば、バス（低音域）、ミッドレンジ（中音域）、トレブル（高音域）等のボディ部から発生する楽音の様々な要素を調整したり変調したりする機能を有する。イコライザー１は、ボディ部に設けられるジャック（出力端子）を介して、外部のアンプ及びスピーカーシステムと電気的に接続される。したがって、ギターが演奏されるとボディ部から発生する楽音は適切に調整・増幅されて、大音量の楽音としてスピーカーから発音される。
【００２６】
本実施例によるギターチューナー用の表示装置１０は、図２及び図３に示すように、弦のチューニング（調弦）状態を表示する液晶表示パネル（ＬＣＤパネル）１１、ＬＤＣパネル１１の背面に設置されるバックライト１２及びＬＣＤパネル１１の前面（表示面）に設置されるアクリルパネル１３を含んで構成される。
【００２７】
ＬＣＤパネル１１は、後述するように多数の表示区画（セグメント）を用いて、種々のチューニング状態を表示する。このＬＣＤ１１は、それ自体では発光機能を有しておらず、ＬＣＤ１１のみでは、明るい所でなければ表示情報を視認することは難しい。
【００２８】
バックライト１２は、光源、導光機能を有する導光板（ＬＧＰ：Ｌｉｇｈｔ  Ｇｕｉｄｅ  Ｐｌａｔｅ）、光反射機能を有するランプカバー、反射シート、光拡散機能を有する拡散シート、拡散板及び照度向上機能を有するプリズムシートを含んで構成される。
【００２９】
光源は光を供給し、好ましくは、発光色を変えることができるものである。ＬＧＰは、直線光を平面光に変換する。ランプカバーは、光源からＬＧＰへの光を反射する。反射シートは、バックライト１２の背面部で発生する光の損失を防止する。拡散シートは、ＬＧＰからの光を拡散する。拡散板は、光源を外部から見えないように、又は見にくくする。プリズムシートは、光を特定角度の範囲に変換する。なおバックライトは、周知技術であるので詳細な説明は省略する。
【００３０】
アクリルパネル１３は、ＬＣＤパネル１２を保護する。
【００３１】
上述の表示装置１０は、制御部（コントロールユニット）２０により制御される。制御部２０は、プリント回路基板（ＰＣＢ）上に設けられる。スポンジ等のバッファ部材３０がバックライト１２と制御部２０との間に設置され、ＬＣＤパネル１１とバックライト１２を保護する。
【００３２】
本実施例では、弦のチューニングが完了したら、バックライト１２から照射される光の色を変化させる。具体的には、表示装置の電源が投入されると、動作状態となり、オレンジ色の光がバックライト１２から照射され、弦２のチューニングが完了するとバックライト１２から照射される光の色は緑色に変化する。
【００３３】
以下、図４（Ａ）〜（Ｅ）を参照して、本発明の実施例によるギターチューナー用の表示装置を用いたチューニング状態の表示方法を説明する。
【００３４】
図４（Ａ）は、ギターチューナー用の表示装置が「ＯＦＦ」状態（電源非投入時）における表示画面を表す概念図である。
【００３５】
図４（Ｂ）は、ギターチューナー用の表示装置が「ＯＮ」状態（電源投入時）における表示画面を表す概念図である。
【００３６】
図４（Ｃ）は、ギターチューナー用の表示装置が「ＯＮ」状態（電源投入時）であり、チューニング操作が行われている時に、弦の音高が低いことを表示する表示画面の一例を表す概念図である。
【００３７】
図４（Ｄ）は、ギターチューナー用の表示装置が「ＯＮ」状態（電源投入時）であり、チューニング操作が行われている時に、弦の音高が高いことを表示する表示画面の一例を表す概念図である。
【００３８】
図４（Ｅ）は、ギターチューナー用の表示装置が「ＯＮ」状態（電源投入時）であり、チューニング操作が行われている時に、弦のチューニングが完了したことを表示する表示画面の一例を表す概念図である。
【００３９】
なお、説明の便宜上、各図中では、ＬＣＤパネルの表示画面の色は表されていない。
【００４０】
図４（Ａ）に示す状態において、イコライザー１の電源スイッチ１５が操作される（電源が投入される）と、チューナー機能が動作を開始し、制御部２０がＬＣＤパネル１１及びバックライト１２の制御を開始する。
【００４１】
チューナーの動作時には、図４（Ｂ）に示すように、逆三角形の基準音高表示（基準ピッチインジケーター）とモード表示（モードインジケーター）である「ＣＨＲＯＭＡ」との表示がＬＣＤパネル１２に表示され、バックライト１２は所定色の光を発光する。所定色は、例えば、オレンジ色である。
【００４２】
この図４（Ｂ）に示す状態において、弦２を弾きながら、当該弦２のチューニング（調弦）が行われる。調弦される弦の音高が、所望の音高より低い場合は、図４（Ｃ）に示すように、ＬＣＤパネル１２上で、矢印表示が基準音高表示の左側に表示される。具体的には、チューニングされる弦の音高が、基準音高（所望の音高）より低くなればなるほど、矢印表示が基準音高表示から左側に離れて表示され、チューニングされる弦の音高が、基準音高（所望の音高）に近くなればなるほど、矢印表示が基準音高表示に近く表示される。調弦される弦の音高が、所望の音高より高い場合は、図４（Ｄ）に示すように、ＬＣＤパネル１２上で、矢印表示が基準音高表示の右側に表示される。具体的には、チューニングされる弦の音高が、基準音高（所望の音高）より高くなればなるほど、矢印表示が基準音高表示から右側に離れて表示され、チューニングされる弦の音高が、基準音高（所望の音高）に近くなればなるほど、矢印表示が基準音高表示に近く表示される。
【００４３】
逆三角形の基準音高表示の上方に表示される「Ｄ」の表示は、弦に対応する音高を示す音高表示（ピッチインジケーター）である。音高表示（ピッチインジケーター）は、図５に示すように、「Ａ」〜「Ｇ」のアルファベット（英文字）により７種類が用意されており、それぞれがギターの各弦に対応する。例えば、６弦を有するギターにおいて一般的なチューニングをする場合、「Ｅ」は第１弦及び第６弦、「Ｂ」は第２弦、「Ｇ」は第３弦、「Ｄ」は第４弦、「Ａ」は第５弦に対応する。
【００４４】
上述のようにチューニングを行っている間、バックライト１２はオレンジ色の光を照射する。よって、ＬＣＤパネル１１は、オレンジ色に光って見える。
【００４５】
チューニング中の弦の音高が、当該弦が対応する正しい基準音高に調律された時、すなわちチューニングが完了した時は、図４（Ｅ）に示すように、ダイアモンド型の表示（インジケーター）が基準音高表示の下に表示されるとともに、制御部２０がバックライト１２を制御して、上述した所定色（本実施例では、オレンジ色）とは異なる色（本実施例では、緑色）の光を照射させる。
【００４６】
この図４（Ｅ）に示す状態において、バックライト１２は緑色の光を照射するのでＬＣＤパネル１１は緑色に光って見える。
【００４７】
演奏者（ユーザー）は、上述したようにバックライト１２が光を照射した状態で弦のチューニングをすることができるので、チューニング作業中、弦の音高を簡単に視認することができる。さらに、チューニングが完了するとバックライト１２が照射する光の色が変化するので、チューニングが完了したことをすばやく知ることができる。
【００４８】
以上、本発明の実施例によれば、ギターチューナー用の表示装置１０を備えているので、ギターを演奏するにあたって、迅速且つ簡単にギターのチューニングを行うことができる。特に、本発明の実施例によれば、暗い場所でも簡単にチューニング作業を行うことができる。
【００４９】
また、本発明の実施例によれば、ギターチューナー用の表示装置及び当該表示装置を用いたチューニング状態の表示方法においては、ギターのボディ部に設けられるイコライザーに弦のチューニング状態を表示するための表示装置が設置され、当該表示装置にはバックライトが設置される。チューニング作業中、表示装置のＬＣＤパネルはバックライトによって明るくされ、チューニングが完了するとバックライトから照射される光の色が変化する。よって、演奏者（ユーザー）は、暗い場所でもチューニング状態を簡単に視認することができる。また、チューニングの完了を簡単に知ることができるので、簡便にチューニングを行うことができる。
【００５０】
以上実施例に沿って本発明を説明したが、本発明はこれらに制限されるものではない。例えば、種々の変更、改良、組み合わせ等が可能なことは当業者に自明であろう。
【図面の簡単な説明】
【００５１】
【図１】本発明の実施例によるギターチューナー用の表示装置を備えたイコライザーを有するギターの斜視図である。
【図２】本発明の実施例によるギターチューナー用の表示装置を備えたイコライザーの平面図である。
【図３】本発明の実施例によるギターチューナー用の表示装置を備えたイコライザーの断面図である。
【図４】本発明の実施例によるギターチューナー用の表示装置の表示画面を表す概念図である。
【図５】本発明の実施例によるギターチューナー用の表示装置の表示画面に表示される弦の音高表示の一例を表す図である。
【符号の説明】
【００５２】
１…イコライザー、２…弦、３…ペグ、１０…表示装置、１１…ＬＣＤパネル、１２…バックライト、１３…アクリルパネル、１５…電源スイッチ、２０…制御部、３０…バッファ部材
【図１】
2009058958.tif 000003
【図２】
2009058958.tif 000004
【図３】
2009058958.tif 000005
【図４】
2009058958.tif 000006
【図５】
2009058958.tif 000007